(57)【要約】  コンテンツアイテムの複数の選択されたセグメントを有するサマリがユーザに提示され（ステップ２０２）、ユーザ入力が受信される（ステップ２０４）。前に提示されたセグメントとユーザ入力を受信した時点で提示されているセグメントとの間に配置された少なくとも１つの非選択セグメントが決定され（ステップ２０６）、それぞれの非選択セグメントがランク値に割り当てられる（ステップ２０８）。少なくとも１つの非選択セグメントが提示される（ステップ２１０）。ユーザ入力を受信した時点で提示されている選択されたセグメントの提示が再開される（ステップ２１２）。
2011525727.tif 000002
【特許請求の範囲】
【請求項１】
コンテンツアイテムのサマリを提示する方法であって、
前記サマリは、前記コンテンツアイテムの複数の選択されたセグメントを有し、
当該方法は、前記サマリをユーザに提示するステップと、
ユーザ入力を受信するステップと、
前に提示されたセグメントとユーザ入力を受信した時点で提示されているセグメントとの間に配置された少なくとも１つの非選択セグメントを提示するステップとを有する、方法。
【請求項２】
前記少なくとも１つの非選択セグメントの提示後に、前記ユーザ入力を受信した時点で提示されている選択されたセグメントの提示を再開するステップを更に有する、請求項１に記載の方法。
【請求項３】
前記少なくとも１つの非選択セグメントを提示するステップは、
前記前に提示されたセグメントの後に配置された第１の非選択セグメントを提示するステップと、
提示された第１の非選択セグメントと前記ユーザ入力を受信した時点で提示されているセグメントとの間に配置された少なくとも１つの後続する非選択セグメントを提示するステップとを有する、請求項１又は請求項２に記載の方法。
【請求項４】
前記少なくとも１つの非選択セグメントを提示するステップは、
関心のユーザレベルに基づいて、前記コンテンツアイテムのそれぞれの非選択セグメントにランク値を割り当てるステップと、
第１の予め決められた値又は第１の予め決められた範囲内の値をもつ少なくとも１つの非選択セグメントを提示するステップとを有する、請求項１又は請求項２に記載の方法。
【請求項５】
前記ランク値は、数値である、請求項４に記載の方法。
【請求項６】
前記少なくとも１つの非選択セグメントを提示するステップは、
ユーザ要求に基づく第２の予め決められた値又は第２の予め決められた範囲内の値をもつ少なくとも１つの非選択セグメントを再び提示するステップを更に有する、請求項４又は請求項５に記載の方法。
【請求項７】
請求項１〜７のうちいずれか一項に記載の方法を実行するための複数のプログラムコード部分を有する、コンピュータプログラム。
【請求項８】
コンテンツアイテムのサマリを提示する装置であって、
前記サマリは、前記コンテンツアイテムの複数の選択されたセグメントを有し、
当該装置は、
前記サマリをユーザに提示する手段と、
ユーザ入力を受信するインタフェース手段と、
前に提示されたセグメントとユーザ入力を受信した時点で提示されているセグメントとの間に配置された少なくとも１つの非選択セグメントを提示する手段とを有する、装置。
【請求項９】
前記少なくとも１つの非選択セグメントの提示後に、前記ユーザ入力を受信した時点で提示されているセグメントの提示を再開する手段を更に有する、請求項８に記載の装置。
【発明の詳細な説明】
【技術分野】
【０００１】
本発明は、コンテンツアイテムのサマリを提示するための方法及び装置に関する。特に、排他的ではないが、任意の見落としたハイライトを提示するために、サマリに示されたハイライトを巻き戻す（rewind）ことに関する。
【背景技術】
【０００２】
デジタルビデオの消費者ドメインへの提示により、多くの新たな及び刺激的なアプリケーションが可能になる。消費者は、もはや、放送及び記録を最初から最後まで観ることに限定されない。新規で革新的な特徴が、非線形の態様でビデオを観るためにこれを可能にする。例えば、ビデオオンデマンドアプリケーションは、ますます勢いを増し、YouTubeTM及びGoogle VideoTMのようなビデオシェアリングサービスが既に多くの支持を集めている。更に、デジタルビデオの登場は、コンテンツ解析技術に関する多くのアプリケーションエリアを切り開く。
【０００３】
残念なことに、パーソナルビデオレコーダ及びハードディスクレコーダのような消費者レベルの記録デバイスは、現在のところ、この領域について多くのアプリケーションを見掛けない。業務用のブロック検出のような幾つかの基本アプリケーションがハードディスクレコーダにおいて利用可能になっているが、より高度なアプリケーションのための機会が多いように見える。
【０００４】
斯様な取り得るアプリケーションの一つは、スポーツ番組のような番組のためのハイライト検出である。スポーツ番組は、テレビで非常に人気があり、多くの放送が毎日利用可能である。実際には、現代ユーザが一般的にこれらの番組の全てを観るための十分な時間をもたないほど非常に多くのスポーツ番組が存在する。それ故、スポーツゲームのハイライトの自動検出は多くの消費者にとって魅力的なものである。
【０００５】
番組におけるハイライトの自動検出は、ユーザが、番組の"サマリ"、又は、換言すれば、関心のあるもの（即ち、ハイライト）と見なされたセグメントだけを有する全体の記録の圧縮されたバージョンを観ることができるという有利な特徴を可能にする。
【０００６】
これらのアルゴリズムは極端に高い性能を示すが、実際には、これらは、自動的に生成されてから放送中に観るために関連する全てのものをユーザに提示することを保証することはできない。ユーザが記録デバイス上の既存の手動巻き戻し又は高速巻き戻しコマンドを用いる可能性が存在するが、これらは、システムがスキップした"関心のある"瞬間が存在するかどうかを見つけるために、スクリーンに対して細心の注意を払うことをユーザに要求するという点で極めて不便で厄介である。更に、これらは、典型的には、記録中の実際のポイントが見つけられるまでこの動作を数回行うことをユーザに要求する。
【発明の概要】
【発明が解決しようとする課題】
【０００７】
本発明は、鑑賞に関連する全てのものをユーザに与えるために簡素で効果的な態様で巻き戻しが実行され得る方法を提供しようとする。
【課題を解決するための手段】
【０００８】
これは、コンテンツアイテムのサマリを提示する方法であって、前記サマリは、コンテンツアイテムの複数の選択されたセグメントを有し、当該方法は、前記サマリをユーザに提示するステップと、ユーザ入力を受信するステップと、前に提示されたセグメントとユーザ入力を受信した時点で提示されているセグメントとの間に配置された少なくとも１つの非選択セグメントを提示するステップとを有する、方法による、本発明の一態様により達成される。
【０００９】
また、これは、コンテンツアイテムのサマリを提示する装置であって、前記サマリは、コンテンツアイテムの複数の選択されたセグメントを有し、当該装置は、前記サマリをユーザに提示する手段と、ユーザ入力を受信する手段と、前に提示されたセグメントとユーザ入力を受信する時点で提示されているセグメントとの間に配置された少なくとも１つの非選択セグメントを提示する手段とを有する、装置による、本発明の他の態様により達成される。
【００１０】
この手法において、本アプリケーションは、ユーザが観た現在及び最新の選択されたセグメント（又はハイライトイベント）を記憶している。本システムは、鑑賞状況を知っており、ユーザにとって関心ありそうであるがコンテンツアイテムの最初に提示されたサマリにおいてスキップされたイベントまで巻き戻す。
【００１１】
本方法は、前記少なくとも１つの非選択セグメントの提示後に、ユーザ入力を受信した時点で提示されている選択されたセグメントの提示を再開するステップを更に有し得る。
【００１２】
この手法において、自動巻き戻し再生が終わったときに、アプリケーションは、ユーザが自動巻き戻し機能を有効にしたポイントから前記再生を再開する。これは、見落としたハイライトを観るとともに、巻き戻し機能を有効にした番組中のポイントから再生を自動的に再開させる便利で簡単な手法をユーザに与える。代わりに、ユーザは、サマリから再生を再開するために、サマリ中のポイントを選択することができる。
【００１３】
前記少なくとも１つの非選択セグメントを提示するステップは、前記前に提示されたセグメントの後に配置された第１の非選択セグメントを提示するステップと、提示された第１の非選択セグメントと前記ユーザ入力を受信した時点で提示されているセグメントとの間に配置された少なくとも１つの後続する非選択セグメントを提示するステップとを有し得る。
【００１４】
この手法において、選択されたセグメントが提示されているときに、重要なイベントが欠落したことにユーザが気付いた場合に、ユーザは、重要なイベントが提示されるまで非選択セグメントを順番に観ることができる。これは、ユーザがユーザ入力を受信した時点で提示されているセグメントの前に配置された非選択セグメントまで後退する場合、及び、この非選択セグメントが前記イベントを含まず、その前の選択されたセグメントまで戻る場合等に当てはまるような、ユーザが間違った順番で選択されたセグメントを観なければならないことを阻止する。これは、シーケンスにおける現在のセグメントと前の選択されたセグメントとの間の全ての非選択セグメントを自動的に提示するときに特に面倒である。前の選択されたセグメントの後の第１の非選択セグメントで開始することにより、ユーザは、シーケンスにおける現在のセグメントと前の選択されたセグメントとの間の全ての非選択セグメントを自動的に提示する場合であっても、非選択セグメントを順番に観ることができる。
【００１５】
前記少なくとも１つの非選択セグメントを提示するステップは、関心のユーザレベルに基づいて、コンテンツアイテムのそれぞれの非選択セグメントにランク値を割り当てるステップと、第１の予め決められた値をもつか、又は、第１の予め決められた範囲内の値をもつ少なくとも１つの非選択セグメントを提示するステップとを有し得る。
【００１６】
この手法において、巻き戻しの間にユーザに対して再生される非選択セグメントは、ユーザの関心に適合され、それ故、より関連したセグメントをユーザに与える。結果として、セグメントは、異なる精度又は関心のレベルでランク付けされ得る。例えば、或るセグメントは、より高くランク付けされ、"非常に関心のある"セグメントに関連し得るのに対し、或る他のセグメントは、より低くランク付けされ、"関心は低いが場合により関連する"セグメントに関連し得る。この手法において、ユーザは、ユーザが提示を望む非選択セグメントを適合させる能力をもつ。
【００１７】
ランク値は、数値であり得る。非選択セグメントをランク付けする簡素で依然として効果的な方法を提供する。
【００１８】
前記少なくとも１つの非選択セグメントを提示するステップは、ユーザ要求に基づく第２の予め決められた値又は第２の予め決められた範囲内の値をもつ少なくとも１つの非選択セグメントを再び提示するステップを更に有し得る。
【００１９】
この手法において、ユーザは、ユーザが提示を望む非選択セグメントを更に適合させることができる。例えば、第１の予め決められた値又は第１の予め決められた範囲内の値をもつ提示されたセグメントが、ユーザが観るのを望む或るハイライトを含まない場合には、ユーザは、本装置がユーザ要求に基づく第２の予め決められた値又は第２の予め決められた範囲内の値をもつセグメントを提示することを要求することが可能となる。第２の予め決められた値は、第１の予め決められた値よりも多くのセグメントを含み得るか、又は、第２の予め決められた範囲は、第１の予め決められた範囲よりも大きく、ユーザが観るのを望むハイライトが含まれるようにする。
【００２０】
本発明のより完全な理解のために、添付図面と併用される以下の説明が参照される。
【図面の簡単な説明】
【００２１】
【図１】本発明の一実施形態のコンテンツアイテムのサマリを提示するための装置の簡素化された概略図である。
【図２】本発明の一実施形態のコンテンツアイテムのサマリを提示する方法のフローチャートである。
【図３ａ】図１の装置の実施の一例の簡素化された概略図である。
【図３ｂ】図１の装置の実施の一例の簡素化された概略図である。
【図３ｃ】図１の装置の実施の一例の簡素化された概略図である。
【図３ｄ】図１の装置の実施の一例の簡素化された概略図である。
【発明を実施するための形態】
【００２２】
図１によれば、装置１００は、ユーザ選択用の複数のプッシュボタンをもつリモコン装置のようなインタフェース手段１０２を有する。インタフェース手段１０２は、プロセッサ１０４と通信する。プロセッサ１０４の出力は、例えばディスプレイスクリーン又はテレビのような提示手段１０６の入力に接続される。プロセッサ１０４は、格納手段１０８に接続される。
【００２３】
図１の装置の動作は、図２を参照して詳細に述べられるだろう。提示手段１０６は、コンテンツアイテムのサマリをユーザに提示する（ステップ２０２）。このサマリは、コンテンツアイテムの複数の選択されたセグメント（例えば、ハイライト）を有する。コンテンツアイテム及び選択されたセグメントは、後の呼び戻しのための格納手段１０８に格納される。
【００２４】
プロセッサ１０４は、インタフェース手段１０２を介してユーザ入力を受信する（ステップ２０４）。この入力は、例えば、ユーザがインタフェース手段１０２上の"自動巻き戻し"ボタンを押すことにより行われ得る。提示手段１０６は、ユーザが自動巻き戻し機能を有効にするためにインタフェース手段１０２で押すべきボタンの視覚的表示を提示し得る。この視覚的表示は、自動巻き戻しが実行されるときに無効化され得る。ユーザ入力がプロセッサ１０４により受信されたときには、プロセッサ１０４は、格納手段１０８から、ユーザ入力を受信した時点でユーザに対して提示されているセグメント（即ち、ハイライト）、及び、前に提示されたセグメント（即ち、ユーザにより観られた最新のハイライト）を呼び戻す。そして、プロセッサ１０４は、前に提示されたセグメントとユーザ入力を受信した時点で提示されているセグメントとの間に配置された非選択セグメントを決定する（ステップ２０６）。
【００２５】
プロセッサ１０４は、関心のユーザレベルに基づいて、前に提示されたセグメントとユーザ入力を受信した時点で提示されているセグメントとの間に配置されたそれぞれの非選択セグメントをランク値に割り当てる（ステップ２０８）。ランク値は、例えば、数値である。プロセッサ１０４は、"関心のある"セグメント、即ち、特定のランク値をもつセグメントの位置を自動的に検出して提示する。例えば、数字スケールの場合において、セグメントは、１から有限数N（N＞１）までランク付けされる。１としてランク付けされたセグメントは、"最も関心のあるセグメント"に対応し、Nとしてランク付けされたセグメントは、"関心は低いが依然として関連する"セグメントに対応する。
【００２６】
オプション的に、プロセッサ１０４は、それぞれの非選択セグメントのためのランク値を事前に割り当て得る。例えば、この場合において、プロセッサ１０４は、提示手段１０６がサマリを提示する前にコンテンツアイテムを解析する。この場合において、プロセッサ１０４は、コンテンツアイテムを解析し、ランク値を全てのセグメントに割り当てる。ユーザがインタフェース手段１０２上の"自動巻き戻し"ボタンを押したときには、プロセッサ１０４は、ランク＞Ｃをもつセグメントだけを選択する必要がある。ここで、Ｃは、現在選択されているセグメント（即ち、ユーザが観ているサマリに含まれたセグメント）のセットの最大のランク値である。
【００２７】
プロセッサ１０４は、少なくとも１つの非選択セグメント又は任意の数の非選択セグメントを選び、選ばれた非選択セグメントを提示手段１０６に転送する。提示手段１０６は、選ばれた非選択セグメントをユーザに提示する（ステップ２１０）。提示手段１０６は、提示手段１０６が非選択セグメントをユーザに実際に提示する前に、選ばれた非選択セグメントの位置を示すために視覚的インジケータを提示し得る。また、提示手段１０６は、巻き戻しが進行中であることを示すアイコン、及び、自動巻き戻しを取り消すためのアイコンを提示する。提示された非選択セグメントは、例えば、前に提示されたセグメントの後の第１のセグメントであり得る。
【００２８】
代わりに、プロセッサ１０４は、割り当てられたランク値に基づいて、非選択セグメントを選ぶ。例えば、プロセッサ１０４は、第１の予め決められた値又は第１の予め決められた範囲内の値をもつ１又は複数の非選択セグメントを選ぶ。プロセッサ１０４は、選ばれた非選択セグメントを提示手段１０６に転送し、提示手段１０６は、選ばれた非選択セグメントをユーザに提示する（ステップ２１０）。
【００２９】
この手法において、プロセッサ１０４は、幾つかの要約レベルを実現する。例えば、最も低い要約レベルは、プロセッサ１０４が１のランク値をもつ非選択セグメント（即ち、最も関心のあるセグメント）だけを選ぶことに対応する。この場合において、提示手段１０６は、少数の非選択セグメントをユーザに提示する。連続する要約レベルは、プロセッサ１０４が、１〜Ｍ（１＜Ｍ＜Ｎ）の範囲内にあるランク値をもつ全ての非選択セグメントを選ぶことに対応する。最大の要約レベルは、プロセッサ１０４が、即ち最も高いランク値Ｎをもつこれらのセグメントを含む全てのランクから、全ての非選択セグメントを選ぶことに対応する。この場合において、提示手段１０６は、前に提示されたセグメントとユーザ入力を受信した時点で提示されているセグメントとの間に配置された全ての非選択セグメントを提示する。
【００３０】
ユーザ要求があると、提示手段１０６は、第２の予め決められた値又は第２の予め決められた範囲内の値をもつ少なくとも１つの非選択セグメントを再び提示する。
【００３１】
非選択セグメントの提示後に、提示手段１０６は、前記ユーザ入力の時点で提示された選択されたセグメントの提示を再開する（ステップ２１２）。換言すれば、自動巻き戻し再生が終了したときに、提示手段１０６は、ユーザが自動巻き戻し機能を有効にしたポイントから再生を再開する。提示手段１０６がこのポイントからの再生を再開する一方で、プロセッサ１０４は、要約レベルを元の状態（即ち、ユーザが自動巻き戻しボタンを押した時点の状態）に戻す。
【００３２】
図３ａ〜３ｄによれば、本発明の実施の特定の例が示される。この図は、同一のコンテンツアイテムを表すタイムラインを示している。コンテンツアイテムは、サマリにおいてユーザに対して提示された縦線３００，３０１，３０３，３０５，３０７で示された複数のセグメント（又はハイライト）を有する。この場合において、最も低い要約レベル上のハイライト（セグメント）を観ている間、図３ａに示されるように、ユーザは、セグメント３０１，３００を示している提示手段１０２が、そのレベルでの所望のハイライト（例えば、ゴール）を示していないことを発見する。
【００３３】
インタフェース手段１０２は、ユーザが"自動巻き戻し"ボタンを押すことによりユーザ入力を受信し、プロセッサ１０４は、斯様なセグメント３０１，３０３，３０５，３００が、２つのセグメント３０１，３００に代えて、図３ｂに示されるように、所望のハイライトが示されることを確かめるために、要約レベルをその最大レベルまで一時的に増加させる。それ故、プロセッサ１０４は、要約を巻き戻し、提示手段１０６は、現在のセグメント３００の前にユーザによって観られなかった第１のセグメント３０３を再生する。
【００３４】
前のセグメント３０１と現在のセグメント３００との間で利用可能な２つのセグメント３０３，３０５が存在するので、提示手段１０６は、図３ｃに示されるように、ユーザによって観られなかった第２のセグメント３０５を直ちに再生する。
【００３５】
セグメント３０５の再生を終了した後、提示手段１０６は、ユーザが観ていたセグメント３００で再生を再開し、自動巻き戻しボタンを押したときに、図３ｄで示されるように、セグメント３０７を提示し始める。プロセッサ１０４は、ユーザが自動巻き戻しボタンを押す前に、要約レベルを元のレベルに戻す。
【００３６】
本発明の実施形態が添付図面に示され前記の詳細な説明で述べられたが、本発明は、開示された実施形態に限定されるものではなく、特許請求の範囲に記載された本発明の範囲から逸脱することなく多くの変更を可能とすることが理解されるだろう。
【００３７】
"手段"は、当業者から明らかになるように、単独で又は他の機能と組み合わせて、分離して又は他の要素と協働して、動作中に再現するか又は特定の機能を再現するように設計された任意のハードウェア（別個の若しくは一体化された回路又は電子要素等）又はソフトウェア（プログラム又はプログラムの部分）を含むことを表している。本発明は、幾つかの別個の要素を有するハードウェアにより、及び、適切にプログラムされたコンピュータにより実行され得る。幾つかの手段を列挙している装置に係る請求項において、これらの手段の幾つかは、１つの同一アイテムのハードウェアにより具現され得る。"コンピュータプログラムプロダクト"は、フロッピディスク、インターネット等のネットワークを介してダウンロード可能なもの、又は、任意の他の態様の商品のような、コンピュータ読み取り可能な媒体上に格納された任意のソフトウェアプロダクトを表すことが理解されるべきである。
【図１】
2011525727.tif 000003
【図２】
2011525727.tif 000004
【図３ａ】
2011525727.tif 000005
【図３ｂ】
2011525727.tif 000006
【図３ｃ】
2011525727.tif 000007
【図３ｄ】
2011525727.tif 000008
【国際調査報告】
2011525727.tif 000009
2011525727.tif 000010
2011525727.tif 000011